(57)【要約】【課題】機能ユニットの無駄な電力消費を抑制でき、かつ、使用者にとって使い勝手のよい浴室システムを提供することを目的とする。【解決手段】浴室及び洗面所の少なくともいずれかに設けられる複数の機能ユニットと、複数の機能ユニットを動作させるリモコンと、リモコンに供給される電源の有無を判断する判断部と、を備え、複数の機能ユニットは、リモコンと有線接続され、リモコンに電源を供給するメイン機能ユニットと、メイン機能ユニットと異なる箇所から電源が供給されるサブ機能ユニットと、を有し、判断部は、リモコンに供給される電源が「無」であることを判断すると、その電源判断情報に基づいて、サブ機能ユニットの動作を停止させることを特徴とする浴室システム。【選択図】図４
2020008208.tif 000002
【特許請求の範囲】
【請求項１】
浴室及び洗面所の少なくともいずれかに設けられる複数の機能ユニットと、
前記複数の機能ユニットを動作させるリモコンと、
前記リモコンに供給される電源の有無を判断する判断部と、を備え、
前記複数の機能ユニットは、前記リモコンと有線接続され、前記リモコンに電源を供給するメイン機能ユニットと、前記メイン機能ユニットと異なる箇所から電源が供給されるサブ機能ユニットと、を有し、
前記判断部は、前記リモコンに供給される電源が「無」であることを判断すると、その電源判断情報に基づいて、前記サブ機能ユニットの動作を停止させることを特徴とする浴室システム。
【請求項２】
前記判断部は、前記メインユニットから前記リモコンへの電源供給値が所定値を下回った場合に前記リモコンに供給される電源が「無」と判断することを特徴とする請求項１記載の浴室システム。
【請求項３】
前記判断部は、前記メイン機能ユニットから前記リモコンへ送信される信号の状態が異常状態であることを検知すると、前記リモコンに供給される電源が「無」と判断することを特徴とする請求項１記載の浴室システム。
【請求項４】
前記判断部は、前記リモコンに設けられることを特徴とする請求項２または請求項３のいずれかに記載の浴室システム。
【請求項５】
前記判断部は、前記メインにユニットに供給される電源供給値が所定値を下回った場合に前記リモコンに供給される電源供給が「無」と判断することを特徴とする請求項１記載の浴室システム。
【請求項６】
前記判断部は、前記メイン機能ユニットに設けられることを特徴とする請求項５記載の浴室システム。
【請求項７】
前記判断部は、前記リモコンから前記サブ機能ユニットへ送信される信号の状態が異常状態であることを検知すると、前記リモコンに供給される電源が「無」と判断することを特徴とする請求項１記載の浴室システム。
【請求項８】
前記判断手段は、前記サブ機能ユニットに設けられることを特徴とする請求項７記載の浴室システム。
【発明の詳細な説明】
【技術分野】
【０００１】
本発明の態様は、一般的に、浴室システムに関する。
【背景技術】
【０００２】
従来、浴室や洗面所等で使用される複数の機能ユニットを１つの共通のリモコンで操作可能なように構成された浴室システムが知られている。（特許文献１）
これにより、複数の機能ユニットに対して、それぞれリモコンを設けることが不要となり、使用者の使い勝手を向上させることができる。
【先行技術文献】
【特許文献】
【０００３】
【特許文献１】特開２００４−３７４２２２号公報
【発明の概要】
【発明が解決しようとする課題】
【０００４】
このような浴室システムでは、リモコンは、所定の機能ユニットと有線接続され、その有線接続された所定の機能ユニットから電源が供給されるようになっている。
しかしながら、例えば、リモコンへ電源供給する所定の機能ユニットのブレーカが落ち、リモコンへの電源供給が断たれると、リモコンが操作不能となる。その場合、使用者は、リモコンを使い、所定の機能ユニット以外の動作中の機能ユニットを停止させることができず、無駄な電力が消費される恐れがある。
この問題を解決するため、使用者が停止させたい機能ユニットを直接操作し、機能ユニットの動作を停止させることも考えられる。しかし、機能ユニットは、浴室や洗面所等の天井及び天井付近の壁面に設置される。そのため、使用者が機能ユニットを直接操作することは、使用者にとって大きな負荷になる恐れがある。
【０００５】
本発明は、かかる課題の認識に基づいてなされたものであり、機能ユニットの無駄な電力消費を抑制でき、かつ、使用者にとって使い勝手のよい浴室システムを提供することを目的とする。
【課題を解決するための手段】
【０００６】
第１の発明は、浴室及び洗面所の少なくともいずれかに設けられる複数の機能ユニットと、前記複数の機能ユニットを動作させるリモコンと、前記リモコンに供給される電源の有無を判断する判断部と、を備え、前記複数の機能ユニットは、前記リモコンと有線接続され、前記リモコンに電源を供給するメイン機能ユニットと、前記メイン機能ユニットと異なる箇所から電源が供給されるサブ機能ユニットと、を有し、前記判断部は、前記リモコンに供給される電源が「無」であることを判断すると、その電源判断情報に基づいて、前記サブ機能ユニットの動作を停止させることを特徴とする浴室システムである。
【０００７】
この浴室システムによれば、例えば、メイン機能ユニットのブレーカが落ち、リモコンが操作不能になるような場合に、サブ機能ユニットを自動で停止させておくことができるため、無駄な電力消費を抑制することができる。
また、リモコンが操作不能になった場合に、サブ機能ユニットを停止させるために、使用者が、浴室または洗面所に設けられたサブ機能ユニットを直接操作する必要もないため、使用者にとって使い勝手がよい。
【０００８】
第２の発明は、第１の発明において、前記判断部は、前記メインユニットから前記リモコンへの電源供給値が所定値を下回った場合に前記リモコンに供給される電源が「無」と判断することを特徴とする浴室システムである。
【０００９】
この浴室システムによれば、判断部が、リモコンに供給される電源の有無の判断をより正確に行うことができ、無駄な電力消費をより抑制することができる。
【００１０】
第３の発明は、第１の発明において、前記判断部は、前記メイン機能ユニットから前記リモコンへ送信される信号の状態が異常状態であることを検知すると、前記リモコンに供給される電源が「無」と判断することを特徴とする浴室システムである。
【００１１】
この浴室システムによれば、電源自身のノイズ等に影響されず、判断部が、電源供給の有無の判断をより正確に行うことができ、無駄な電力消費をより抑制することができる。
【００１２】
第４の発明は、第２又は３の発明において、前記判断部は、前記リモコンに設けられることを特徴とする浴室システムである。
【００１３】
この浴室システムによれば、判断部を別部材として設ける必要がなく、浴室システムの配線等を簡略化することができる。
【００１４】
第５の発明は、第１の発明において、前記判断部は、前記メインにユニットに供給される電源供給値が所定値を下回った場合に前記リモコンに供給される電源供給が「無」と判断することを特徴とする浴室システムである。
【００１５】
この浴室システムによれば、リモコンに電源供給するメインにユニット自身への電源供給が完全に断たれる前に、判断部での電源供給の有無の判断を確実に行うことができ、無駄な電力消費をより抑制することができる。
【００１６】
第６の発明は、第５の発明において、前記判断部は、前記メイン機能ユニットに設けられることを特徴とする浴室システムである。
【００１７】
この浴室システムによれば、判断部を別部材として設ける必要がなく、浴室システムの配線等を簡略化することができる。
【００１８】
第７の発明は、第１の発明において、前記判断部は、前記リモコンから前記サブ機能ユニットへ送信される信号の状態が異常状態であることを検知すると、前記リモコンに供給される電源が「無」と判断することを特徴とする浴室システムである。
【００１９】
この浴室システムによれば、電源自身のノイズ等に影響されず、判断部３８０でリモコン３０への電源供給の有無の判断をより正確に行うことができ、無駄な電力消費をより抑制することができる。
【００２０】
第８の発明は、第７の発明において、前記判断手段は、前記サブ機能ユニットに設けられることを特徴とする浴室システムである。
【００２１】
この浴室システムによれば、判断部がリモコンに供給される電源が「無」と判断した際に、リモコンからサブ機能ユニットへの停止信号の受信の有無に関わらず、サブ機能ユニットが自動で停止するようにでき、無駄な電力消費をより抑制することができる。
【発明の効果】
【００２２】
本発明の態様によれば、機能ユニットの無駄な電力消費を抑制でき、かつ、使用者にとって使い勝手のよい浴室システムが提供される。
【図面の簡単な説明】
【００２３】
【図１】第１の実施形態に係る浴室システムを例示する斜視図である。
【図２】第１の実施形態に係る通信ハブを例示する斜視図である。
【図３】第１の実施形態に係る浴室システムを例示するブロック図である。
【図４】第１の実施形態に係る浴室システムを例示するブロック図である。
【図５】第２の実施形態に係る浴室システムを例示するブロック図である。
【図６】第２の実施形態に係る浴室システムを例示するブロック図である。
【図７】第３の実施形態に係る浴室システムを例示するブロック図である。
【図８】第３の実施形態に係る浴室システムを例示するブロック図である。
【発明を実施するための形態】
【００２４】
以下、第１の実施形態について図面を参照しつつ説明する。なお、各図面中、同様の構成要素には同一の符号を付して詳細な説明は適宜省略する。
図１は、第１の実施形態に係る浴室システムを例示する斜視図である。
図１に示すように、第１の実施形態に係る浴室システム１０は、第１〜第４機能ユニット２１〜２４と、リモコン３０と、通信ハブ４０と、第１配線５１〜５４と、第２配線６０と、判断部８０と、を有する。
【００２５】
浴室システム１０は、例えば、浴室１００及び洗面所１１０に設けられる。浴室１００は、建築の浴室部１０５に設けられる。浴室１００は、例えば、浴槽、洗い場床、壁パネル、及び天井パネルなどをユニット化した、いわゆるユニットバスやシステムバスである。浴室１００の天井には、天井裏１０２に通じる点検口１０４が設けられている。洗面所１１０は、浴室部１０５に隣接する建築の洗面室部１１５に設けられる。洗面所１１０は、例えば、脱衣所であってもよい。
なお、第１機能ユニット２１には、ブレーカ（不図示）から電源が供給されており、第２〜第４機能ユニット２２〜２４には、第１機能ユニット２１とは異なるブレーカ（不図示）から電源が供給されている。
【００２６】
第１〜第４機能ユニット２１〜２４は、それぞれ、浴室１００及び洗面所１１０の少なくともいずれかに設けられる。第１〜第４機能ユニット２１〜２４は、例えば、浴室用の空調機器、浴槽掃除機器、浴室用の床掃除機器、洗面所用の空調機器、給湯器、浴槽の排水栓、浴室の照明、マッサージ機器、及び吐水装置などを含む。この例では、第１機能ユニット２１は、浴室用の空調機器である。第２機能ユニット２２は、浴槽掃除機器である。第３機能ユニット２３は、浴室用の床掃除機器である。第４機能ユニット２４は、洗面所用の空調機器である。
【００２７】
浴室用の空調機器は、例えば、浴室１００の天井に設けられる。浴室用の空調機器は、例えば、温風を吹き出して浴室１００内を暖める暖房機能、風（例えば温風）を吹き出して浴室１００内に吊るされた衣類等を乾燥させる乾燥機能、及び浴室１００内を換気する換気機能の少なくともいずれかを有する。浴室用の空調機器は、例えば浴室換気暖房乾燥機である。浴室用の空調機器は、換気扇でもよい。
【００２８】
浴槽掃除機器は、例えば、浴室１００の内部に設けられた浴槽（不図示）内に設けられる。浴槽掃除機器は、例えば、浴槽の内壁に洗剤や水（湯）を散布する機器である。浴室用の床掃除機器は、例えば、浴室１００の床（洗い場）に水や除菌水等を散布する機器である。
【００２９】
洗面所用の空調機器は、例えば、洗面所１１０の壁面の上部に設けられる。洗面所用の空調機器は、例えば、温風を吹き出して洗面所１１０内を暖める暖房機能を有する。洗面所用の空調機器は、換気扇でもよい。
【００３０】
給湯器は、例えば浴室１００の外部に設けられ、浴槽や浴室１００内の水栓装置に湯を供給する。排水栓は、浴槽に設けられる。排水栓が開くことで、浴槽内の水や湯が排出される。照明は、浴室１００の例えば天井等に設けられる照明である。マッサージ機器は、例えば浴槽に設けられ、浴槽内の水（湯）に泡を発生させる気泡発生装置である。または、マッサージ機器は、浴槽内に水流を発生させる水流発生装置である。吐水装置は、例えば、浴槽内の使用者の肩に向けて湯を吐出する肩湯である。
【００３１】
第１〜第４機能ユニット２１〜２４は、それぞれ、第１〜第４機能ユニット２１〜２４の動作を制御するための第１〜第４制御部２１ａ〜２４ａを有する。この例では、第１〜第３制御部２１ａ〜２３ａは、それぞれ、浴室１００の天井裏１０２に設けられている。第４制御部２４ａは、洗面所１１０の壁面の上部に設けられた第４機能ユニット２４（洗面所用の空調機器）の筐体の内部に設けられている。なお、図１では、第１〜第３機能ユニット２１〜２３の位置を、第１〜第３制御部２１ａ〜２３ａで示しているが、第１〜第３機能ユニット２１〜２３の動作する本体は、浴室１００内に設けられてもよい。
【００３２】
リモコン３０は、第１〜第４機能ユニット２１〜２４を動作させるリモコンである。リモコン３０は、例えば、洗面所１１０（脱衣所）の壁面に設けられる。リモコン３０は、通信ハブ４０を介して、第１〜第４機能ユニット２１〜２４の第１〜第４制御部２１ａ〜２４ａと接続されている。使用者は、リモコン３０を操作することにより、第１〜第４機能ユニット２１〜２４の動作を操作することができる。
【００３３】
リモコン３０は、例えば、操作部３２と、制御部３４と、表示部３６と、を有する。制御部３４は、操作部３２及び表示部３６と接続されている。操作部３２は、例えば、使用者が操作可能なボタンなどである。制御部３４は、操作部３２における使用者の操作に応じて、第１〜第４機能ユニット２１〜２４の第１〜第４制御部２１ａ〜２４ａに制御信号を送信する。表示部３６は、例えば、制御部３４からの信号に応じて、第１〜第４機能ユニット２１〜２４の動作状態などを表示する。なお、表示部３６は、ＬＥＤの点灯及び消灯などで第１〜第４機能ユニット２１〜２４の動作状態などを表示してもよいし、液晶画面などに第１〜第４機能ユニット２１〜２４の動作状態などを表示してもよい。
【００３４】
判断部８０は、リモコン３０に設けられている。この判断部８０は、リモコン３０に供給される電源の有無を判断する。判断部８０が、電源が「無」と判断すると、その電源判断情報に基づいて、第２〜第４機能ユニット２２〜２４の動作を停止させる。詳細については、後述する。
【００３５】
通信ハブ４０は、第１〜第４機能ユニット２１〜２４とリモコン３０との間に設けられる。この例では、通信ハブ４０は、浴室１００の天井裏１０２に設けられている。通信ハブ４０は、第１制御部２１ａ、第２制御部２１ｂ、及び第３制御部２１ｃよりも天井裏１０２の中央側に設けられている。
【００３６】
第１配線５１〜５４は、それぞれ、第１〜第４機能ユニット２１〜２４と通信ハブ４０とを接続する。より具体的には、第１配線５１〜５４は、それぞれ、第１〜第４機能ユニット２１〜２４の第１〜第４制御部２１ａ〜２４ａと通信ハブ４０とを接続する。つまり、第１配線５１〜５４の一端は、それぞれ、第１〜第４機能ユニット２１〜２４の第１〜第４制御部２１ａ〜２４ａに接続される。第１配線５１〜５４の他端は、それぞれ、通信ハブ４０に接続される。第１配線５１〜５４は、浴室１００の天井裏１０２において、互いに重ならないように配置される。また、第１配線５１〜５４は、第２配線６０と重ならないように配置される。
【００３７】
第２配線６０は、通信ハブ４０とリモコン３０とを接続する。より具体的には、第２配線６０は、通信ハブ４０とリモコン３０の制御部３４とを接続する。つまり、第２配線６０の一端は、通信ハブ４０に接続される。第２配線６０の他端は、リモコン３０の制御部３４に接続される。第２配線６０は、浴室１００の天井裏１０２から、浴室１００と浴室部１０５との間を通って、リモコン３０の背面側（洗面所１１０の壁の裏側）からリモコン３０に接続される。第２配線６０は、浴室１００の天井裏１０２において、第１配線５１〜５４と重ならないように配置される。
【００３８】
図２は、第１の実施形態に係る通信ハブを例示する斜視図である。
図２に示すように、通信ハブ４０は、ケース４６と、第１接続コネクタ部４１〜４４と、第２接続コネクタ部４５と、を有する。
【００３９】
ケース４６は、通信ハブ４０の筐体である。ケース４６は、例えば、略直方体状である。通信ハブ４０は、例えば、ケース４６の下面を浴室１００の天井裏１０２に向けて配置される。ケース４６の下面は、例えば、天井裏１０２に固定される。
【００４０】
第１接続コネクタ部４１〜４４は、第１配線５１〜５４を接続するための接続部である。換言すれば、第１接続コネクタ部４１〜４４は、第１〜第４機能ユニット２１〜２４の第１〜第４制御部２１ａ〜２４ａと通信ハブ４０とを接続するための接続部である。第１接続コネクタ部４１〜４４は、例えば、ケース４６の上面及び４つの側面のうちいずれかの面に設けられる。この例では、第１接続コネクタ部４１〜４４は、ケース４６の側面の１つに設けられている。
【００４１】
第１接続コネクタ部４１〜４４のそれぞれは、図１に示すように、例えば、浴室１００の天井に設けられた点検口１０４に向けて設けられる。換言すれば、通信ハブ４０は、第１接続コネクタ部４１〜４４が点検口１０４に向くように浴室１００の天井裏１０２に配置される。
【００４２】
また、通信ハブ４０は、第１接続コネクタ部４１と他の第１接続コネクタ部４２〜４４とを区別可能にしている。通信ハブ４０は、例えば、第１接続コネクタ部４１と他の第１接続コネクタ部４２〜４４とを区別可能にする標識部４７を有する。標識部４７は、例えば、ケース４６に表示される文字やイラストなどである。標識部４７は、第１接続コネクタ部４１の色が他の第１接続コネクタ部４２〜４４の色と異なっていることを含む。なお、通信ハブ４０には、第１接続コネクタ部４１〜４４のそれぞれを区別可能な標識部４７が設けられていてもよい。
【００４３】
第２接続コネクタ部４５は、第２配線６０を接続するための接続部である。換言すれば、第２接続コネクタ部４５は、リモコン３０と通信ハブ４０とを接続するための接続部である。第２接続コネクタ部４５は、例えば、ケース４６の上面及び４つの側面のうちいずれかの面に設けられる。この例では、第２接続コネクタ部４５は、ケース４６の側面の１つに設けられている。また、この例では、第２接続コネクタ部４５は、第１接続コネクタ部４１〜４４が設けられた面と同じ面に設けられている。つまり、第２接続コネクタ部４５は、第１接続コネクタ部４１〜４４と同じ方向に向けて設けられている。
【００４４】
また、この例では、第２接続コネクタ部４５は、横方向に一列に並ぶように配置された第１接続コネクタ部４１〜４４に並ぶように配置されている。第２接続コネクタ部４５の配置は、これに限定されず、任意の配置とすることができる。なお、通信ハブ４０には、第２接続コネクタ部４５と第１接続コネクタ部４１〜４４とを区別可能な標識部が設けられていてもよい。また、第２接続コネクタ部４５の形状を第１接続コネクタ部４１〜４４の形状と異なるものにすることで、第２接続コネクタ部４５と第１接続コネクタ部４１〜４４とを区別することもできる。
【００４５】
なお、第１接続コネクタ部及び第２接続コネクタ部の数は、それぞれ、任意の数とすることができる。第１接続コネクタ部の数は、接続する機能ユニットの数に応じて適宜選択すればよい。第２接続コネクタ部の数は、例えば、１つである。
【００４６】
図３は、第１の実施形態に係る浴室システムを例示するブロック図である。
図３に示すように、第１〜第４機能ユニット２１〜２４は、通信ハブ４０を介して、リモコン３０と接続されている。より具体的には、第１〜第４機能ユニット２１〜２４の第１〜第４制御部２１ａ〜２４ａは、それぞれ、第１配線５１〜５４を介して、通信ハブ４０の第１接続コネクタ部４１〜４４に接続されている。そして、リモコン３０の制御部３４は、第２配線６０を介して、通信ハブ４０の第２接続コネクタ部４５に接続されている。
【００４７】
リモコン３０の制御部３４は、リモコン３０の操作部３２及び表示部３６と接続されている。また、リモコン３０の制御部３４は、判断部８０と接続されている。使用者がリモコン３０の操作部３２を操作すると、リモコン３０の制御部３４から、第１〜第４機能ユニット２１〜２４の第１〜第４制御部２１ａ〜２４ａに対して、信号Ｓ１が送信される。信号Ｓ１は、第１〜第４制御部２１ａ〜２４ａの少なくともいずれかに対する制御信号を含む。信号Ｓ１は、共通制御信号である。
なお、判断部８０は、リモコン３０と別体として独立して設けられてもよく、判断部８０を介して第１機能ユニット２１とリモコン３０とが接続されるように構成されていてもよい。
【００４８】
信号Ｓ１は、通信ハブ４０を通じて、第１〜第４制御部２１ａ〜２４ａのそれぞれに送信される。換言すれば、例えば、第１制御部２１ａに対する制御信号（第１機能ユニット２１を動作させるための制御信号）が、第１制御部２１ａだけでなく、第２〜第４制御部２２ａ〜２４ａにも送信される。第１〜第４制御部２１ａ〜２４ａのそれぞれは、信号Ｓ１に応じて、第１〜第４機能ユニット２１〜２４の動作を制御する。
【００４９】
このとき、例えば、第１〜第４制御部２１ａ〜２４ａのそれぞれは、信号Ｓ１に自身が制御する機能ユニットを動作させるための制御信号が含まれるか否かを判断する。例えば、信号Ｓ１が第１制御部２１ａに対する制御信号である場合、第１制御部２１ａは、信号Ｓ１に第１機能ユニット２１を動作させるための制御信号が含まれると判断し、第１機能ユニット２１を動作させる。一方、第２〜第４制御部２２ａ〜２４ａは、信号Ｓ１に第２〜第４機能ユニット２２〜２４を動作させるための制御信号が含まれないと判断し、第２〜第４機能ユニット２２〜２４を動作させない。
【００５０】
また、第１〜第４制御部２１ａ〜２４ａのそれぞれは、例えば、信号Ｓ１を受け取った後、リモコン３０の制御部３４に対して、信号Ｓ２を送信する。信号Ｓ２は、例えば、第１〜第４機能ユニット２１〜２４の少なくともいずれかの動作状態についての信号を含む。
【００５１】
信号Ｓ２は、通信ハブ４０を通じて、リモコン３０の制御部３４に送信される。このとき、例えば、第１制御部２１ａからの信号Ｓ２（第１機能ユニット２１の動作状態についての信号）が、リモコン３０の制御部３４だけでなく、第２〜第４制御部２２ａ〜２４ａにも送信される。リモコン３０の制御部３４は、例えば、信号Ｓ２に応じて、リモコン３０の表示部３６に第１機能ユニット２１の動作状態を表示する。
【００５２】
このように、通信ハブ４０は、リモコン３０の制御部３４と第１〜第４機能ユニット２１〜２４の第１〜第４制御部２１ａ〜２４ａとを接続し、リモコン３０の制御部３４と第１〜第４機能ユニット２１〜２４の第１〜第４制御部２１ａ〜２４ａとの間の信号Ｓ１及びＳ２による通信を仲介する。一方で、通信ハブ４０は、例えば、リモコン３０の制御部３４及び第１〜第４制御部２１ａ〜２４ａの制御には関与しない。
【００５３】
なお、第１配線５１〜５４の少なくとも１つの長さＤ１は、例えば、第２配線６０の長さＤ２よりも短い。
【００５４】
図４は、第１の実施形態に係る浴室システムを例示するブロック図である。
図４に示すように、第１〜第４制御部２１ａ〜２４ａと通信ハブ４０とを接続する第１配線５１〜５４、及び通信ハブ４０とリモコン３０の制御部３４とを接続する第２配線６０は、３芯のケーブルである。３芯のケーブルは、例えば、２本の電源線７０ａ及び７０ｂと、１本の信号線７２と、を有する。例えば、電源線７０ａは、高電位側であり、電源線７０ｂは、低電位側（例えば、グランド）である。
【００５５】
第１〜第４機能ユニット２１〜２４の１つは、通信ハブ４０を通じて、リモコン３０に電源を供給可能である。この例では、第１機能ユニット２１が、通信ハブ４０を通じて、リモコン３０に電源を供給している。第１機能ユニット２１とリモコン３０とは、導通されている。これにより、第１機能ユニット２１からリモコン３０に、例えば、ＤＣ１２Ｖの電源が供給される。
【００５６】
一方、第２〜第４機能ユニット２２〜２４とリモコン３０とは、電気的に絶縁されている。より具体的には、第２〜第４機能ユニット２２〜２４とリモコン３０との間には、絶縁部４８ａ〜４８ｃが設けられている。絶縁部４８ａ〜４８ｃは、第２〜第４機能ユニット２２〜２４とリモコン３０とを電気的に絶縁した状態で、信号Ｓ１及び信号Ｓ２の送受信が可能に構成される。
【００５７】
絶縁部４８ａ〜４８ｃは、例えば、フォトカプラを有する。この例では、第２〜第４機能ユニット２２〜２４とリモコン３０との間で双方向に通信するために、絶縁部４８ａ〜４８ｃは、それぞれ２組のフォトカプラを有する。２組のフォトカプラのうちリモコン３０側の発光素子及び受光素子には、第１配線５１を介して、第１機能ユニット２１から電源が供給される。２組のフォトカプラのうち第２〜第４機能ユニット２２〜２４側の発光素子及び受光素子には、第１配線５２〜５４を介して、第２〜第４機能ユニット２２〜２４から電源が供給される。これらにより、第２〜第４機能ユニット２２〜２４とリモコン３０とを電気的に絶縁した状態で、信号Ｓ１及び信号Ｓ２の送受信をすることができる。
【００５８】
第１の実施形態において、第１機能ユニット２１がメイン機能ユニットであり、第２〜第４機能ユニット２２〜２４がサブ機能ユニットである。
【００５９】
ここで、判断部８０が、電源が「無」と判断すると、電源判断情報がリモコン３０の制御部３４に送信される。
【００６０】
具体的には、判断部８０は、第１機能ユニット２１からリモコン３０に供給される電圧値（電源供給値）を検知している。判断部８０は、その電圧値が所定以下となった場合に、リモコン３０に供給される電源が「無」と判断し、その電源判断情報をリモコン３０の制御部３４に送信する。
なお、判断部８０が電圧値でなく、電流値を検知して、電源の有無を判断してもよい。
【００６１】
リモコン３０の制御部３４は、判断部８０から電源判断情報を受信すると、第２〜第４機能ユニット２２〜２４の第２〜第４制御部２２ａ〜２４ａに動作を停止させる停止信号を送信する。そして、第２〜第４機能ユニット２２〜２４の第２〜第４制御部２２ａ〜２４ａが、停止信号を受信すると、動作中の第２〜第４機能ユニット２２〜２４の動作が停止する。
このように、判断部８０は、リモコン３０に供給される電源が「無」と判断すると、リモコン３０を介して、第２〜第４機能ユニット２２〜２４の動作を停止させる。
【００６２】
以上、説明したように、第１の実施形態においては、浴室及び洗面所の少なくともいずれかに設けられる第１〜第４機能ユニット２１〜２４（複数の機能ユニット）と、第１〜第４機能ユニット２１〜２４を動作させるリモコン３０と、リモコン３０に供給される電源の有無を判断する判断部８０と、を備え、複数の機能ユニットは、リモコン３０と有線接続され、３０リモコンに電源を供給する
第１機能ユニット２１（メイン機能ユニット）と、第１機能ユニット２１と異なる箇所から電源が供給される第２〜第４機能ユニット２２〜２４（サブ機能ユニット）と、を有し、判断部８０は、リモコン３０に供給される電源が「無」であることを判断すると、その電源判断情報に基づいて、第２〜第４機能ユニット２２〜２４の動作を停止させる。
【００６３】
これにより、例えば、第１機能ユニット２１（メイン機能ユニット）のブレーカが落ち、リモコン３０が操作不能になるような場合に、第２〜第４機能ユニット２２〜２４（サブ機能ユニット）を自動で停止させておくことできるため、無駄な電力消費を抑制することができる。
また、リモコン３０が操作不能になった場合に、第２〜第４機能ユニット２２〜２４（サブ機能ユニット）を停止させるために、使用者が、浴室１００または洗面所１１０に設けられた第２〜第４機能ユニット２２〜２４（サブ機能ユニット）を直接操作する必要もないため、使用者にとって使い勝手がよい。
【００６４】
また、第１の実施形態においては、判断部８０は、第１機能ユニット２１（メイン機能ユニット）からリモコン３０への電源供給値が所定値を下回った場合にリモコン３０に供給される電源が「無」と判断する。
これにより、判断部８０が、リモコンに供給される電源の有無の判断をより正確に行うことができ、無駄な電力消費をより抑制することができる。
【００６５】
また、第１の実施形態においては、判断部８０は、リモコン８０に設けられる。
これにより、判断部８０を別部材として設ける必要がなく、浴室システムの配線等を簡略化することができる。
【００６６】
次に、第１の実施形態に係る浴室システムの変形例について説明する。変形例においては、第１の実施形態より変更した点のみの説明を行い、共通部分については、説明を省略する。
【００６７】
第１の実施形態に係る浴室システムの変形例では、第１機能ユニット２１の第１制御部２１ａは、信号Ｓ２（第１機能ユニット２１の動作状態についての信号）を、リモコン３０の制御部３４からの信号Ｓ１（第１機能ユニット２１を動作させるための制御信号）の受信の有無に関わらず、定期的に送信する。
【００６８】
ここで、第１機能ユニット２１の第１制御部２１ａから送信される信号Ｓ２は、リモコン３０に供給される電源供給値が小さくなると、その信号の状態が通常よりも悪くなることが知られている。
【００６９】
判断部８０は、第１機能ユニット２１からリモコン３０へ送信される信号Ｓ２の状態を検知し、リモコン３０に供給される電源が「無」と判断する。
具体的には、判断部８０は、信号Ｓ２の信号強度が所定値以下である場合、異常状態を検知したとして、リモコン３０に供給される電源が「無」と判断する。そして、判断部８０は、その電源判断情報をリモコン３０の制御部３４に送信する。
なお、判断部８０は、信号強度で異常状態を検知するのでなく、信号Ｓ２に含まれるノイズが所定値以上である場合、異常状態を検知したとしてもよい。
また、リモコン３０に供給される電源の有無を判断するための専用信号を、第１機能ユニット２１の第１制御部２１ａからリモコン３０の制御部３４に定期的に送信するようにしてもよい。
【００７０】
以上、説明したように、第１の実施形態の変形例においては、判断部８０は、第１機能ユニット２１（メイン機能ユニット）からリモコン３０へ送信される信号Ｓ２の状態が異常状態であることを検知すると、リモコン３０に供給される電源が「無」と判断する。
これにより、電源自身のノイズ等に影響されず、判断部８０が、電源供給の有無の判断をより正確に行うことができ、無駄な電力消費をより抑制することができる。
【００７１】
次に、第２の実施形態に係る浴室システムについて説明を行う。
図５は、第２の実施形態に係る浴室システムを例示するブロック図である。図６は、第２の実施形態に係る浴室システムを例示するブロック図である。
第２の実施形態において、第１の実施形態と同様の箇所には同一の符号を付与し、説明を省略する。
【００７２】
図５、６に示すように、第２の実施形態に係る浴室システム１０は、判断部２８０を有する。
判断部２８０は、第１機能ユニット２１に設けられており、第１機能ユニット２１の第１制御部２１ａに接続されている。
なお、判断部２８０は、第１機能ユニット２１（メインにユニット）と別体として独立して設けられてもよく、判断部２８０を介してブレーカと第１機能ユニット２１とが接続されるように構成されていてもよい。
【００７３】
判断部２８０は、リモコン３０に供給される電源の有無を判断する。判断部２８０が、リモコン３０に供給される電源が「無」と判断すると、その電源判断情報に基づいて、第２〜第４機能ユニット２２〜２４の動作を停止させる。
【００７４】
具体的には、判断部２８０は、ブレーカ（不図示）から第１機能ユニット２１に供給される電圧値（電源供給値）を検知している。判断部２８０は、その電圧値が所定以下となった場合に、リモコン３０に供給される電源が「無」と判断し、その電源判断情報を第１機能ユニット２１の第１制御部２１ａに送信する。
なお、判断部２８０が電圧値でなく、電流値を検知して、電源の有無を判断してもよい。
第１機能ユニット２１の第１制御部２１ａは、判断部２８０から電源判断情報を受信すると、リモコン３０の制御部３４に、その電源判断情報を送信する。
【００７５】
リモコン３０の制御部３４は、第１機能ユニット２１の第１制御部２１ａから電源判断情報を受信すると、第２〜第４機能ユニット２２〜２４の第２〜第４制御部２２ａ〜２４ａに動作を停止させる停止信号を送信する。そして、第２〜第４機能ユニット２２〜２４の第２〜第４制御部２２ａ〜２４ａが停止信号を受すると、動作中の第２〜第４機能ユニット２２〜２４の動作が停止する。
このように、判断部２８０は、リモコン３０に供給される電源が「無」と判断すると、第１機能ユニット２１を介して、第２〜第４機能ユニット２２〜２４の動作を停止させる。
【００７６】
以上、説明したように、第２の実施形態においては、判断部２８０は、第１機能ユニット２１（メインにユニット）に供給される電源供給値が所定値を下回った場合にリモコン３０に供給される電源供給が「無」と判断する。
これにより、リモコン３０に電源供給する第１機能ユニット２１（メインにユニット）自身への電源供給が完全に断たれる前に、判断部２８０での電源供給の有無の判断を確実に行うことができ、無駄な電力消費をより抑制することができる。
【００７７】
また、第２の実施形態においては、判断部２８０は、第１機能ユニット２１（メインにユニット）に設けられる。
これにより、判断部２８０を別部材として設ける必要がなく、浴室システムの配線等を簡略化することができる。
【００７８】
次に、第３の実施形態に係る浴室システムについて説明を行う。図７は、第３の実施形態に係る浴室システムを例示するブロック図である。図８は、第３の実施形態に係る浴室システムを例示するブロック図である。
第３の実施形態において、第１の実施形態と同様の箇所には同一の符号を付与し、説明を省略する。
【００７９】
図７、８に示すように、第３の実施形態に係る浴室システム１０は、判断部３８０を有する。
【００８０】
判断部３８０は、第２機能ユニット２２に設けられており、第２機能ユニット２２の第２制御部２２ａと接続されている。
なお、判断部３８０は、第２機能ユニット２２（サブ機能ユニット）と別体として独立して設けられてもよく、判断部３８０を介してリモコン３０と第２機能ユニット２２とが接続されるように構成されていてもよい。
また、判断部３８０は、第２機能ユニット２２にのみ設けられているが、第３〜４機能ユニット２２〜２４にも設けられるようにしてもよい。
【００８１】
この判断部３８０は、リモコン３０に供給される電源の有無を判断する。判断部３８０は、リモコン３０に供給される電源が「無」と判断すると、その電源判断情報に基づいて、第２機能ユニット２２の動作を停止させる。
【００８２】
ここで、リモコン３０の制御部３４は、第２機能ユニット２１の第２制御部２２ａに、信号Ｓ１（第２機能ユニット２２の動作状態を確認する信号）を定期的に送信する。
リモコン３０から送信される信号Ｓ２１は、リモコン３０に供給される電源供給値が小さくなると、その信号の状態が通常よりも悪くなることが知られている。
【００８３】
判断部３８０は、信号Ｓ１の信号強度が所定値以下である場合、異常状態を検知したとして、リモコン３０に供給される電源が「無」と判断する。そして、判断部３８０は、電源判断情報を第２機能ユニット２２の第２制御部２２ａに送信する。
換言すると、判断部３８０は、リモコン３０から第２機能ユニット２２へ送信される信号Ｓ１の状態を検知し、リモコン３０に供給される電源の有無を判断する。
なお、判断部３８０は、信号強度で異常状態を判断するのでなく、信号Ｓ１に含まれるノイズが所定値以上である場合、異常状態と判断してもよい。
【００８４】
第２機能ユニット２２の第２制御部２２ａが、判断部３８０から電源判断情報を受信すると、動作中の第２機能ユニット２２の動作が停止する。
このように、判断部３８０は、リモコン３０に供給される電源が「無」と判断すると、第２機能ユニット２２自身の第２制御部２２ａを介して、第２機能ユニット２２の動作を停止させる。
【００８５】
以上、説明したように、第３の実施形態においては、判断部３８０は、リモコン３０から第２機能ユニット２２（サブ機能ユニット）へ送信される信号Ｓ１の状態が異常状態であることを検知すると、リモコン３０に供給される電源が「無」と判断する。
これにより、電源自身のノイズ等に影響されず、判断部３８０でリモコン３０への電源供給の有無の判断をより正確に行うことができ、無駄な電力消費をより抑制することができる。
【００８６】
また、第３の実施形態においては、判断部３８０は、第２機能ユニット２２（サブ機能ユニット）に設けられる。
これにより、判断部３８０がリモコン３０に供給される電源が「無」と判断した際に、リモコン３０から第２機能ユニット２２への停止信号の受信の有無に関わらず、第２機能ユニット２２が自動で停止するようにでき、無駄な電力消費をより抑制することができる。
【００８７】
以上、本発明の実施形態について説明した。しかし、本発明はこれらの記述に限定されるものではない。前述の実施形態に関して、当業者が適宜設計変更を加えたものも、本発明の特徴を備えている限り、本発明の範囲に包含される。例えば、浴室システムなどが備える各要素の形状、寸法、材質、配置などは、例示したものに限定されるわけではなく適宜変更することができる。
また、前述した実施形態が備える各要素は、技術的に可能な限りにおいて組み合わせることができ、これらを組み合わせたものも本発明の特徴を含む限り本発明の範囲に包含される。
【００８８】
例えば、本実施形態において、通信ハブ４０を介して、第１〜第４機能ユニット２１〜２４と、リモコン３０とが、第１配線５１〜５４及び第２配線６０で接続されているが、通信ハブ４０を介さず、第１〜第４機能ユニット２１〜２４とリモコン３０とを配線で接続するようにしてもよい。
この場合、第１機能ユニット２１とリモコン３０とを導通した状態で、信号Ｓ１及び信号Ｓ２の送受信が可能に構成される。一方、第２〜第４機能ユニット２２〜２４とリモコン３０とを電気的に絶縁した状態で、信号Ｓ１及び信号Ｓ２の送受信が可能に構成される。
【符号の説明】
【００８９】
１０、１１ 浴室システム、  ２１〜２４ 第１〜第４機能ユニット、  ２１ａ〜２４ａ第１〜第４制御部、  ３０ リモコン、  ３２ 操作部、  ３４ 制御部、  ３６ 表示部、  ４０ 通信ハブ、  ４１〜４４ 第１接続コネクタ部、  ４５ 第２接続コネクタ部、  ４６ ケース、  ４７ 標識部、  ４８ａ〜４８ｃ 絶縁部、  ５１〜５４ 第１配線、  ６０ 第２配線、  ７０ａ、７０ｂ 電源線、  ７２ 信号線、  １００ 浴室、  １０２天井裏、  １０４ 点検口、  １０５ 浴室部、  １１０ 洗面所、  １１５ 洗面室部、  ８０、２８０、３８０ 判断部、  Ｄ１、Ｄ２ 長さ、  Ｓ１、Ｓ２ 信号
【図１】
2020008208.tif 000003
【図２】
2020008208.tif 000004
【図３】
2020008208.tif 000005
【図４】
2020008208.tif 000006
【図５】
2020008208.tif 000007
【図６】
2020008208.tif 000008
【図７】
2020008208.tif 000009
【図８】
2020008208.tif 000010